(57)【要約】【課題】搬送路の幅より小さい幅の小型媒体を整列して集積した後、一括して排出できるようにする。【解決手段】第１の搬送路４により搬送されてきた小型媒体Ｔを合流部Ｐから第２の搬送路５に送り込んで、幅寄せガイド１５により小型媒体Ｔを基準面Ａに沿うように案内すると共に、小型媒体用シャッタ１２に付き当てて停止させ、このとき小型媒体Ｔの後端部を押さえている集積用ブレード１４を第２の搬送路と平行な方向に回転させて小型媒体Ｔの後端から外した後、元の位置に戻すことにより前記小型媒体Ｔが合流部Ｐ上を覆ようにし、同様の動作で複数枚の小型媒体Ｔを集積した後第２の搬送路５により一括して排出口１０に搬送し、排出する。【選択図】        図１
2004256231.tif 000002
【特許請求の範囲】
【請求項１】
第１の搬送路を、媒体の排出口から奥に向かって延伸するように設けられた第２の搬送路に途中に斜め方向から合流させた構成を備え、
前記第１，第２の搬送路の幅とほぼ同等の幅を有する大型媒体と、それより狭い幅の小型媒体の排出を行う媒体排出機構において、
前記第１の搬送路と第２の搬送路の合流部に、媒体を前記第１の搬送路から第２の搬送路に送り込むように案内する集積用ブレードを設け、
前記第１の搬送路により搬送されてきた小型媒体を前記合流部から前記第２の搬送路に送り込んで小型媒体用シャッタに付き当てて停止させ、このとき前記小型媒体の後端部を押さえている前記集積用ブレードを前記第２の搬送路と平行な方向に回転させて前記小型媒体の後端部から外した後、元の位置に戻すことにより前記小型媒体が前記合流部上を覆ようにし、
同様の動作で複数枚の小型媒体を集積した後、前記小型媒体用シャッタを前記第２の搬送路から退避させて、前記複数枚の小型媒体を前記第２の搬送路により一括して前記排出口に搬送することを特徴とする媒体排出機構。
【請求項２】
請求項１記載の媒体排出機構において、
第１の搬送路を第２の搬送路に斜め下方から合流させたことを特徴とする媒体排出機構。
【請求項３】
請求項１記載の媒体排出機構において、
前記合流部から前記第２の搬送路に送り込まれた小型媒体を、前記第２の搬送路の一側に設けた媒体ガイドにより基準面に沿うように案内することを特徴とする媒体排出機構。
【請求項４】
請求項１記載の媒体排出機構において、
前記集積した複数枚の小型媒体を、前記小型媒体用シャッタから離れる方向に搬送した後、前記小型媒体用シャッタを前記第２の搬送路から退避させることを特徴とする媒体排出機構。
【請求項５】
請求項１記載の媒体排出機構において、
前記小型媒体を集積した後、前記小型媒体用シャッタを前記第２の搬送路から退避させ、
前記第１の搬送路により搬送されてきた大型媒体を前記合流部から小型媒体の下側に滑り込ませて、その先端を前記小型媒体用シャッタより前記排出口側に設けられた大型媒体用シャッタに付き当てて停止させ、このとき前記大型媒体の後端部を押さえている前記集積用ブレードを前記第２の搬送路と平行な方向に回転させて前記大型媒体の後端から外した後、元の位置に戻すことにより前記大型媒体が前記合流部上を覆ようにし、
同様の動作で複数枚の大型媒体を小型媒体の下側に集積した後、前記大型媒体用シャッタを前記第２の搬送路から退避させて、前記複数枚の小型媒体と大型を第２の搬送路により一括して前記排出口に搬送することを特徴とする媒体排出機構。
【請求項６】
請求項５記載の媒体排出機構において、
前記集積した複数枚の小型媒体と大型媒体を、前記大型媒体用シャッタから離れる方向に搬送した後、前記大型媒体用シャッタを前記第２の搬送路から退避させることを特徴とする媒体排出機構。
【発明の詳細な説明】
【０００１】
【発明の属する技術分野】
本発明は、媒体排出機構に関するもので、特に搬送路の幅に対して狭い幅の小型媒体の排出を行う媒体排出機構に関するものである。
【０００２】
【従来の技術】
媒体処理装置として乗物の乗車券や搭乗券、あるいは、特急券、座席指定券、定期券等の各種の券として発行する発券プリンタや、金融機関等で証書あるいは帳票を発行するプリンタ等があり、この種の媒体処理装置においては、搬送路の幅とほぼ同じ幅を持ち、搬送方向の長さが異なる大型の媒体と、搬送路の幅に対してかなり小さい幅の小型の媒体に対して、それぞれ磁気情報の書き込みや読み取り、媒体面への印字等の処理を施して発行するものとなっている。
【０００３】
このような媒体処理装置に備えられる媒体排出機構として、印字等の処理後の媒体を挟持して搬送する第１の搬送路と、媒体の排出口から奥に向かって延伸するように設けられ、媒体を挟持して搬送する第２の搬送路を有し、前記第２の搬送路の途中に第１の搬送路を斜め下方から合流させ、前記第１の搬送路により搬送されてきた媒体を合流部から第２の搬送路に送り込み、媒体を複数枚集積した後、その集積した媒体を前記排出口から一括して排出するようにしたものがある（特許文献１）。
【０００４】
【特許文献１】
特開平１１−２５９６９４公報（段落
【００４１】〜
【００４３】、
段落
【００５８】〜
【００６１】、及び図３、図４）
【０００５】
【発明が解決しようとする課題】
しかしながら上述した従来の技術では、以下の問題がある。
例えば１人の客に複数枚の媒体を発行する場合、搬送路の幅とほぼ同じ幅を有する大型の媒体に対しては磁気情報の書き込みや読み取り、媒体面への印字等の処理を施した後、第２の搬送路上に整列して集積し、その集積個所から一括して排出口に搬送して発行するようにしているが、搬送路の幅に対してかなり小さい幅しかもたない小型の媒体の場合は、第２の搬送路上に整列して集積したり、一括して排出したりする機構が別に必要となり、構成の複雑化や、高価格化を招くことになる。
【０００６】
そのため、小型の媒体は１枚ずつ発行するようにしているが、１枚ずつ発行すると、客は枚数を間違え易く、そのため本来受け取る枚数を受け取らずに帰ってしまい、取り忘れを発生し易いという問題がある。
本発明は、このような問題を解決することを課題とするものである。
【０００７】
【課題を解決するための手段】
そのため、本発明は、第１の搬送路を、媒体の排出口から奥に向かって延伸するように設けられた第２の搬送路に途中に斜め方向から合流させた構成を備え、前記第１，第２の搬送路の幅とほぼ同等の幅を有する大型媒体と、それより狭い幅の小型媒体の排出を行う媒体排出機構において、前記第１の搬送路と第２の搬送路の合流部に、媒体を前記第１の搬送路から第２の搬送路に送り込むように案内する集積用ブレードを設け、前記第１の搬送路により搬送されてきた小型媒体を前記合流部から前記第２の搬送路に送り込んで小型媒体用シャッタに付き当てて停止させ、このとき前記小型媒体の後端部を押さえている前記集積用ブレードを前記第２の搬送路と平行な方向に回転させて前記小型媒体の後端部から外した後、元の位置に戻すことにより前記小型媒体が前記合流部上を覆ようにし、同様の動作で複数枚の小型媒体を集積した後、前記小型媒体用シャッタを前記第２の搬送路から退避させて、前記複数枚の小型媒体を前記第２の搬送路により一括して前記排出口に搬送することを特徴とする。
【０００８】
【発明の実施の形態】
以下、図面を参照して本発明による媒体排出機構の実施の形態について説明する。
まず、実施の形態の媒体排出機構を備えた媒体処理装置について説明する。
図２は発券プリンタ等の媒体処理装置の構成を示す概略側面図である。
【０００９】
図において１はロール紙装着部に装着されたロール紙（券紙）で、ここでは２個装着されている。
２はロール紙装着部から繰り出されたロール紙１を所定の長さの媒体に切断するカッター、３は定型の媒体（券紙）を収納したホッパである。
４はカッター２により切断された媒体やホッパから繰り出された媒体を挟持して搬送する第１の搬送路、５は同じく媒体を挟持して搬送する第２の搬送路で、この第１の搬送路４及び第２の搬送路５は、それぞれモーターを駆動源として駆動されるプーリに巻き掛けられて張設支持された搬送ベルト及びこの搬送ベルトに当接させたローラ等により構成されている。
【００１０】
尚、第１の搬送路４上には、カッター２によりロール紙１から切断された小型媒体の向きを水平方向に９０度変換する図示しない変換部が設けられている。
６は第１の搬送路４上に設けられた磁気リードライト部、７は第１の搬送路４上に設けられた印字部で、両者の位置関係は、媒体発行時の搬送方向において磁気リードライト部６は印字部７の上流側に位置するように配置されている。
【００１１】
８はロール紙１を装着した際にカッター２により切断される排除部分等を回収する回収部、９は媒体排出機構である。
図１はこの媒体排出機構９の構成を示す図で、（ａ）は平面図、（ｂ）は側面図である。
この図に示したように媒体排出機構９は、第１の搬送路４の一部と、第２の搬送路５、媒体の排出口１０、大型媒体用のシャッタ１１、小型媒体用のシャッタ１２、搬送方向切替えブレード１３、集積用ブレード１４、幅寄せガイド１５、及び回収部１６を有している。
【００１２】
５ａと５ｂは第２の搬送路５を構成する上部搬送ベルトと下部搬送ベルトで、それぞれ独立して駆動できるようになっている。
この第２の搬送路５は排出口１０から奥に向かって延伸するように配置され、その後端に顧客が取り忘れた媒体を収納する回収部１６が設けられている。
そしてこの第２の搬送路５の途中に第１の搬送路４が斜め下方から合流しており、Ｐはその合流部を示している。
【００１３】
大型媒体用のシャッタ１１は、排出口１０の直前に設けられており、この大型媒体用のシャッタ１１は、媒体の集積時や排出時等に排出口１０からの媒体の挿入を防止する役目も兼ねている。
小型媒体用のシャッタ１２は大型媒体用のシャッタ１１の後方に設けられていて、この小型媒体用のシャッタ１２から第１の搬送路４と第２の搬送路５の合流部Ｐまでの距離は、搬送方向における小型媒体の長さ以下となるように設定されており、また大型媒体用のシャッタ１１から合流部Ｐまでの距離は、搬送方向における大型媒体の長さ以下となるように設定されている。
【００１４】
また、搬送方向切替えブレード１３は合流部Ｐの上方に位置するように設けられており、この搬送方向切替えブレード１３は、排出口１０が挿入口を兼ねるものとして、客により挿入口から挿入された媒体を第２の搬送路５から第１の搬送路４に導くときに動作するものである。
集積用ブレード１４は第１の搬送路４により搬送されてきた媒体を合流部Ｐから第２の搬送路５へ案内するように合流部Ｐに設けられていて、この集積用ブレード１４は、その後端側に設けた軸１４ａを支点として図１（ａ）に矢印で示したように第２の搬送路５と平行な方向に回動できるようになっている。
【００１５】
幅寄せガイド１５は第２の搬送路５の一側面の一部を成すように設けられており、小型媒体Ｔを集積する際、第２の搬送路５の基準面（他側面）Ａ側に移動できるものとなっている。
この幅寄せガイド１５の両端は小型媒体Ｔをスムーズに案内できるように両端が外側に斜めに広がるように曲折されている。
【００１６】
図３は及び図４は、実施の形態の作用を示す図で、それぞれ（ａ）は平面図、（ｂ）は側面図である。
この図３，図４及び図１，図２を参照して実施の形態の作用を説明する。
まず、複数枚の小型媒体を一括して発行する場合の動作について説明するが、以下の動作は第１の搬送路４及び第２の搬送路５により搬送される媒体を検知する図示しないセンサの検知信号等に基づいて図示しない制御手段により制御されるものとする。
【００１７】
ロール紙装着部からロール紙１が繰り出され、カッター２によりロール紙１が所定の長さの小型媒体Ｔとなるように切断された後、第１の搬送路４により搬送され図示しない変換部により媒体面方向に９０度方向が変換される。
そして小型媒体Ｔは第１の搬送路４により磁気リードライト部６に送られて磁気データの書き込みと、確認のための読み取りが行われた後、第１の搬送路４により印字部７に送られて印字処理が行われる。
【００１８】
その後、小型媒体Ｔは第１の搬送路４により第２の搬送路５との合流部Ｐに搬送され、集積用ブレード１４の案内により第２の搬送路５にその斜め下方から送りこまれる。
このとき、第２の搬送路５も第１の搬送路４と同速度で駆動されており、そして小型媒体用シャッタ１２及び大型媒体用シャッタ１１は小型媒体Ｔが第２の搬送路５に送り込まれるタイミングで第２の搬送路５を遮るように動作し、更に幅寄せガイド１５も基準面Ａ側に移動する。
【００１９】
従って、第１の搬送路４によって第２の搬送路５に送り込まれた小型媒体Ｔは幅寄せガイド１５により基準面に沿うように案内され、図３（ａ）及び（ｂ）に示したように小型媒体Ｔの先端が小型媒体用シャッタ１２に突き当たった位置で停止される。
この状態では、小型媒体Ｔの後端部が第１の搬送路４と集積用ブレード１４の間にあり、集積用ブレード１４により小型媒体Ｔの後端部は押さえられているので、小型媒体Ｔは図３（ｂ）に示したようにくの字型に曲がっている。
【００２０】
ここで幅寄せガイド１５が元の位置に戻され、集積用ブレード１４が図示しない駆動源により駆動され、軸１４ａを支点として図１（ａ）に示した矢印の如く第２の搬送路５と平行な方向に回転することで小型媒体Ｔ上から外れる。
これにより、小型媒体Ｔの後端部は媒体自身の腰の強さによって撥ね上がり、図４（ａ）及び（ｂ）に示したように元の直線状の形状に戻る。
【００２１】
その後、集積用ブレード１４が元の位置に戻され、１枚目の小型媒体Ｔの集積が終了する。
集積用ブレード１４が元の位置に戻ると、ロール紙装着部からロール紙１が繰り出され、カッター２によりロール紙１が所定の長さに切断されて２枚目の小型媒体Ｔとなる。
【００２２】
この２枚目の小型媒体Ｔは第１の搬送路４により搬送され、変換部で媒体面方向に９０度変換されてから、磁気リードライト部６に送られて磁気データの書き込みと、確認のための読み取りが行われた後、第１の搬送路４により印字部７に送られて印字処理が行われる。
その後、この２枚目の小型媒体Ｔは第１の搬送路４により第２の搬送路５との合流部Ｐに搬送されてくるが、このとき、１枚目の小型媒体Ｔは合流部Ｐを覆うように第１の搬送路４に停止しているので、第１の搬送路４により搬送されてきた２枚目の小型媒体Ｔは１枚目の小型媒体Ｔの下側に滑り込むように第２の搬送路５に送り込まれる。
【００２３】
このとき、幅寄せガイド１５も基準面Ａ側に移動し、第２の搬送路５は下部搬送ベルト５ｂのみが第１の搬送路４と同じ速度で駆動される。
これにより２枚目の小型媒体Ｔは幅寄せガイド１５により基準面に沿うように案内されつつ、１枚目の小型媒体Ｔの底面を滑るように進み、その先端が小型媒体用シャッタ１２に付き当たるまで送られて停止される。
【００２４】
この状態では２枚目の小型媒体Ｔの後端部が第１の搬送路４と集積用ブレード１４の間にあり、集積用ブレード１４により小型媒体Ｔの後端部は押さえられているので、小型媒体Ｔはくの字型に曲がっている。
ここで幅寄せガイド１５が元の位置に戻され、集積用ブレード１４が図示しない駆動源により駆動され、軸１４ａを支点として図１（ａ）に示した矢印の如く第２の搬送路５と平行な方向に回転することで小型媒体Ｔ上から外れる。
【００２５】
これにより、小型媒体Ｔの後端部は媒体自身の腰の強さによって撥ね上がり、元の直線状の形状に戻る。
その後、集積用ブレード１４が元の位置に戻され、２枚目の小型媒体Ｔの集積が終了する。
３枚目以降の小型媒体Ｔの集積も同様に行われ、そして発行すべきすべての小型媒体Ｔが集積されると、小型媒体用シャッタ１２と大型媒体用シャッタ１１が第２の搬送路５から退避し、第２の搬送路５の上部搬送ベルト５ａと下部搬送ベルト５ｂにより小型媒体Ｔが一括して排出口１０に送られて排出される。
【００２６】
以上説明した実施の形態によれば、搬送路の幅に対してかなり小さい幅しかもたない小型の媒体であっても、簡単な構成で搬送路上に整列して集積した後、一括して排出することができるので、例えば１人の客に複数枚の媒体を発行する場合、取り忘れを防止して、確実に受け取らせることができるという効果が得られる。
【００２７】
尚、上述した実施の形態において、小型媒体Ｔが集積されると、小型媒体用シャッタ１２と大型媒体用シャッタ１１が第２の搬送路５から退避し、第２の搬送路５の上部搬送ベルト５ａと下部搬送ベルト５ｂにより所定枚数の小型媒体Ｔが一括して排出口１０に送られて排出されるものとしたが、小型媒体Ｔの集積後、この小型媒体Ｔを第２の搬送路５により回収部１６側つまり小型媒体用シャッタ１２から離れる方向に搬送し、その上で小型媒体用シャッタ１２と大型媒体用シャッタ１１を第２の搬送路５から退避させて小型媒体Ｔを一括して排出口１０に送り、排出するようにしてもよい。
【００２８】
このようにすることによって、小型媒体用シャッタと小型媒体との摩擦による負荷をなくすことができ、小型媒体用シャッタの退避動作によりスムーズに行うことができると共に、小型媒体用シャッタの退避動作時に小型媒体の端部を傷つけることも防止できるという効果が得られる。
また、上述した実施の形態では、小型媒体Ｔを集積し、一括して排出口１０から排出する場合を例にして述べたが、小型媒体Ｔと共に大型媒体を集積し、小型媒体Ｔと大型媒体を一括して排出口１０から排出することも可能である。
【００２９】
その場合について説明すると、まず小型媒体Ｔが繰り出され、上述した実施の形態と同様に複数枚集積されると、小型媒体用シャッタ１２が第２の搬送路５から退避する。
次に、ロール紙装着部からロール紙１が繰り出され、カッター２によりロール紙１が所定の長さの大型媒体となるように切断された後、第１の搬送路４により磁気リードライト部６に送られて磁気データの書き込みと、確認のための読み取りが行われ、更に第１の搬送路４により印字部７に送られて印字処理が行われる。  その後、この大型媒体は第１の搬送路４により第２の搬送路５との合流部Ｐに搬送され、集積用ブレード１４の案内により第２の搬送路５にその斜め下方から送りこまれる。
【００３０】
このとき、第２の搬送路５は下部搬送ベルト５ｂのみが第１の搬送路４と同速度で駆動されており、第１の搬送路４によって第２の搬送路５に送り込まれた大型媒体はすでに集積されている小型媒体Ｔの下側に潜り込み、下部搬送ベルト５ｂにより先端が小型媒体用シャッタ１２に突き当たる位置まで搬送されて停止される。
【００３１】
この状態では大型媒体の後端部が第１の搬送路４と集積用ブレード１４の間にあり、集積用ブレード１４により大型媒体の後端部は押さえられているので、この大型媒体は図３（ｂ）に示した小型媒体Ｔのときと同様にくの字型に曲がっている。
ここで集積用ブレード１４が図示しない駆動源により駆動され、軸１４ａを支点として第２の搬送路５と平行な方向に回転することで大型媒体上から外れ、これにより、大型媒体の後端部は、媒体自身の腰の強さによって撥ね上がり、図４（ａ）及び（ｂ）に示したように元の直線状の形状に戻る。
【００３２】
その後、集積用ブレード１４が元の位置に戻され、１枚目の大型媒体の集積が終了する。
２枚目以降の大型媒体の繰り出し、磁気データ処理印字処理、集積処理も同様に行われ、発行すべきすべての小型媒体Ｔ及び大型媒体が集積されると、大型媒体用シャッタ１１が第２の搬送路５から退避し、第２の搬送路５の上部搬送ベルト５ａと下部搬送ベルト５ｂにより小型媒体Ｔと大型媒体が一括して排出口１０に送られて排出される。
【００３３】
尚、このとき小型媒体Ｔと大型媒体を第２の搬送路５により回収部１６側つまり大型媒体用シャッタ１１から離れる方向に搬送し、その上で大型媒体用シャッタ１１を第２の搬送路５から退避させて小型媒体Ｔと大型媒体を一括して排出口１０に送り、排出するようにしてもよいことは無論である。
以上説明したように、小型媒体と大型媒体を一括して同時に排出する場合、小型媒体の下に大型媒体を集積するため、小型媒体の視認性がよくなり、客は受け取るべき媒体を容易に確認できるという効果が得られる。
【００３４】
また、この場合も小型媒体と大型媒体を大型媒体用シャッタから離れる方向に搬送した後、大型媒体用シャッタを第２の搬送路から退避させ、小型媒体と大型媒体を一括して排出口に送り、排出するようにすることで、大型媒体用シャッタと大型媒体との摩擦による負荷をなくすことができ、大型媒体用シャッタの退避動作によりをスムーズに行うことができると共に、大型媒体用シャッタの退避動作時に大型媒体の端部を傷つけることを防止できるという効果も得られる。
【００３５】
【発明の効果】
以上説明したように本発明によれば、搬送路の幅に対してかなり小さい幅しかもたない小型の媒体であっても、簡単な構成で搬送路上に整列して集積した後、一括して排出することができるので、例えば１人の客に複数枚の媒体を発行する場合、取り忘れを防止して、確実に受け取らせることができるという効果が得られる。
【００３６】
また、小型媒体と大型媒体を一括して同時に排出する場合、小型媒体の下に大型媒体を集積するため、小型媒体の視認性がよくなり、客は受け取るべき媒体を容易に確認できるという効果が得られる。
【図面の簡単な説明】
【図１】実施の形態の構成を示す図
【図２】実施の形態を備えた装置の構成を示す概略側面図
【図３】実施の形態の作用を示す図
【図４】
実施の形態の作用を示す図
【符号の説明】
１  ロール紙
２  カッター
４  第１の搬送路
５  第２の搬送路
５ａ  上部搬送ベルト
５ｂ  下部搬送ベルト
６  磁気リードライト部
７  印字部
９  媒体排出機構
１０  排出口
１１  大型媒体用シャッタ
１２  小型媒体用シャッタ
１４  集積用ブレード
１５  幅寄せガイド
【図１】
2004256231.tif 000003
【図２】
2004256231.tif 000004
【図３】
2004256231.tif 000005
【図４】
2004256231.tif 000006